(57)【要約】【課題】  回路基板に対する電気信号配線の実装スペースを十分に確保できる上に、回路基板を筐体に対し安定して固定できるようにした磁気記録再生装置を提供する。【解決手段】  ヘッドディスクアセンブリが内蔵される筐体１０の四隅のうち２つの角隅側には基板固定体３０，４０を突設する。また、基板固定体３０，４０の突出端側には嵌合溝３０Ｅ，４０Ａを設ける。そして、ヘッドディスクアセンブリを駆動制御するための回路基板２０を基板固定体３０，４０の嵌合溝３０Ｅ，４０Ａに嵌め合わせる。【選択図】        図１
2007073125.tif 000002
【特許請求の範囲】
【請求項１】
磁気記録媒体にデータの記録、再生を行うためのヘッドディスクアセンブリが内蔵された筐体と、
前記ヘッドディスクアセンブリを駆動制御するため該筐体の外側に設けられた回路基板と、
前記筐体に突設され、突出端側に嵌合溝を有する回路基板固定部と、
を含み、
前記回路基板固定部の嵌合溝に前記回路基板の外周端側を嵌め合わせることにより前記回路基板を前記回路基板固定部に固定したことを特徴とする磁気記録再生装置。
【請求項２】
前記筐体は前記磁気記録媒体の厚さ方向に対して薄くなった直方体状に形成し、前記回路基板固定部は、前記筐体の四隅にそれぞれ位置する角隅部のうち少なくとも２つ以上の角隅部に配置したことを特徴とする請求項１に記載の磁気記録再生装置。
【請求項３】
前記回路基板固定部は前記筐体とは別体に形成し、前記回路基板固定部を前記筐体に一体に取り付けたことを特徴とする請求項２に記載の磁気記録再生装置。
【請求項４】
前記筐体は金属材料を用いて形成し、前記回路基板固定部は樹脂材料を用いて形成したことを特徴とする請求項３に記載の磁気記録再生装置。
【請求項５】
前記回路基板固定部の突出端側には、前記回路基板を前記嵌合溝に嵌め合わせるときに前記回路基板の外周端側を前記嵌合溝に向けて案内するためのテーパ部を形成したことを特徴とする請求項１，２，３または４に記載の磁気記録再生装置。
【請求項６】
前記回路基板には、前記ヘッドディスクアセンブリからの電気信号を前記回路基板に伝達させるコネクタを突設し、前記筐体には該コネクタが挿入されるコネクタ挿入口を設け、前記回路基板固定部は前記コネクタ挿入口の近傍に配置したことを特徴とする請求項１に記載の磁気記録再生装置。
【請求項７】
前記回路基板には前記ヘッドディスクアセンブリの一部を構成するスピンドルモータに給電を行うためのモータ給電用圧接コネクタを設け、該モータ給電用圧接コネクタを前記筐体側に圧接するための１個のねじを用いて前記回路基板を前記回路基板固定部と共に前記筐体に固定する構成としたことを特徴とする請求項１または６に記載の磁気記録再生装置。
【請求項８】
前記ねじがねじ込まれて取り付けられるねじ穴は、前記筐体に予めセルフタップねじの下穴を穿設しておき、該下穴に前記ねじを締め付けることにより形成したことを特徴とする請求項７に記載の磁気記録再生装置。
【発明の詳細な説明】
【技術分野】
【０００１】
本発明は、ディスク装置等の磁気記録再生装置に関する。
【背景技術】
【０００２】
磁気記録再生装置は、幅広い分野で使用されている。なかでも、近年では携帯音楽プレーヤや小型のモバイル機器等に搭載される小型の磁気記録再生装置の普及は著しい。
【０００３】
この種の磁気記録再生装置は、箱形状の筐体を備えており、この筐体の内部には、磁気記録媒体や、この磁気記録媒体にデータの記録、再生を行う磁気ヘッドのようなヘッドディスクアセンブリ（ＨＤＡ）が内蔵されている。そして、筐体には、その外側に位置してヘッドディスクアセンブリを駆動制御するための回路基板が一体に取り付けられている。
【０００４】
ところで、最近、このような磁気記録再生装置が装着される機器は、携帯性等を高めるために、小型化がますます進んでおり、これに伴って、磁気記録再生装置についても、小型化への要求がさらに高まっている。
【０００５】
しかし、このような従来技術による磁気記録再生装置では、回路基板を複数のねじを用いて筐体に固定しているため、磁気記録再生装置を小型化して形成しようとした場合、下記のような不具合が生じる。
【０００６】
即ち、回路基板を筐体にねじ止めする構成を採用した場合、回路基板のうち、ねじを挿入するためのねじ穴のスペースには、電気信号配線を実装することができない。しかも、回路基板のうち、ねじの頭部が接触する接触部位はグランドとなるため、この接触部位のスペースにも電気信号配線を実装することができなくなる。
【０００７】
つまり、前記したねじ穴のスペースとねじの頭部の接触部位のスペースの分だけ回路基板に対する電気信号配線の実装スペースが削減されてしまい、回路基板の小型化を図ることが難しくなるという問題がある。特に、１インチ以下まで小型化された磁気記録再生装置においては、回路基板に占めるねじ穴の開口面積の割合が大きくなり、前記した問題が顕著になる。
【０００８】
そこで、このような問題を解消するため、回路基板の周縁部に筐体の側面に向けて延びる係止爪を設け、この係止爪を筐体の側面に凸設した肉厚部に引っ掛けることにより、ねじを用いることなく回路基板を筐体に固定できるようにした磁気記録再生装置が提案されている（例えば、特許文献１参照）。
【特許文献１】特開平８−７５５６号公報（段落００４０〜００４３、図４）
【発明の開示】
【発明が解決しようとする課題】
【０００９】
しかし、前記した特許文献１による磁気記録再生装置では、回路基板に設けた係止爪を筐体の肉厚部に引っ掛けることにより回路基板を固定しているに過ぎず、係止爪による回路基板と筐体との結合力が弱いため、回路基板を必ずしも十分に安定して固定することができないのが実状である。特に、磁気記録再生装置に外部からの振動、衝撃等が加えられた場合には、係止爪が筐体の肉厚部から外れて回路基板が筐体から脱落する虞れがあるという問題がある。
【００１０】
本発明はこのような問題に鑑みてなされたものであり、装置サイズの小型化を図る場合でも、回路基板に対する電気信号配線の実装スペースを十分に確保できる上に、回路基板を筐体に対し強固に安定して固定することができ、性能、信頼性等を高められるようにした磁気記録再生装置を提供することにある。
【課題を解決するための手段】
【００１１】
前記従来技術の問題点を解決するための本発明は、磁気記録再生装置であって、磁気記録媒体にデータの記録、再生を行うためのヘッドディスクアセンブリが内蔵された筐体と、前記ヘッドディスクアセンブリを駆動制御するため該筐体の外側に設けられた回路基板と、前記筐体に突設され、突出端側に嵌合溝を有する回路基板固定部と、を含み、前記回路基板固定部の嵌合溝に前記回路基板の外周端側を嵌め合わせることにより前記回路基板を前記回路基板固定部に固定したことを特徴としている。
【発明を実施するための最良の形態】
【００１２】
本発明の実施の形態について、図面を参照しながら説明する。本発明の実施の形態に係る磁気記録再生装置１は、例えばハードディスクドライブ装置（ＨＤＤ）であり、図１および図２に示すように、筐体１０、回路基板２０および２つの基板固定体３０，４０を含んで構成される。なお、基板固定体３０，４０は特許請求の範囲にいう「回路基板固定部」に相当する。
【００１３】
筐体１０は鉄板等の金属材料を用いて図１および図２に示すように形成されている。そして、筐体１０は、一側（図２中の下端側）が開口して他側（図２中の上端側）が閉塞された有蓋の角筒状をなす筐体本体１１と、筐体本体１１の開口端側を閉塞するトップカバー１２とにより構成されている。また、筐体１０の内部には、磁気記録媒体である複数枚の磁気記録ディスク２，２，・・・（図４参照）等がトップカバー１２および後述する筐体本体１１の閉塞板部１１Ｅと略平行な状態で収容されている。
【００１４】
そして、筐体１０は、磁気記録ディスク２の厚さ方向に対して薄くなった略直方体状に形成され、その内部には磁気記録ディスク２を回転駆動させるスピンドルモータ１３（図２、図４参照）、磁気記録ディスク２にデータを書き込んだり読み出したりする磁気ヘッド（図示せず）等が磁気記録ディスク２と一緒に内蔵されている。なお、磁気記録ディスク２、スピンドルモータ１３および磁気ヘッドは特許請求の範囲にいう「ヘッドディスクアセンブリ」に相当する。
【００１５】
筐体本体１１は、第１の側板部１１Ａ、第２の側板部１１Ｂ、第３の側板部１１Ｃ、第４の側板部１１Ｄおよびこれら各側板部１１Ａ〜１１Ｄに一体形成された閉塞板部１１Ｅにより構成されている。
【００１６】
筐体本体１１の閉塞板部１１Ｅには、図２に示すように、第１の側板部１１Ａ側寄りおよび第３の側板部１１Ｃ側寄りに位置して長方形状の角穴からなるコネクタ挿入口１４が形成されている。そして、筐体本体１１の内部には、コネクタ挿入口１４と対応した位置に後述のコネクタ２１が接続される接続端子（図示せず）が設けられている。
【００１７】
また、筐体本体１１の閉塞板部１１Ｅには、図２に示すように、第１の側板部１１Ａと第４の側板部１１Ｄとの角隅側に位置して後述のモータ給電用圧接コネクタ２２が圧接される接続プレート１５が接着等により固定して取り付けられている。この接続プレート１５および筐体本体１１の閉塞板部１１Ｅには後述のねじ２３がねじ込まれるねじ穴１６が形成されている。このねじ穴１６は、例えば接続プレート１５および筐体本体１１の閉塞板部１１Ｅに予めセルフタップねじの下穴を穿設しておき、この下穴にねじ２３を締め付けることにより形成されるものである。
【００１８】
回路基板２０は図１、図３ないし図５に示すように略長方形状をなす平板体として形成され、筐体１０の外部に位置して閉塞板部１１Ｅと略平行に配置されている。そして、回路基板２０のうち閉塞板部１１Ｅと対向する対向面には、筐体１０に内蔵されるスピンドルモータ１３、磁気ヘッド等のヘッドディスクアセンブリを駆動制御するための電気信号配線（図示せず）が実装されている。また、図３に示すように回路基板２０のうち、ねじ穴１６と対応する角隅部には貫通孔２０Ａが穿設されている。
【００１９】
また、回路基板２０には、図１、図５および図６に示すようにコネクタ２１が突設されている。このコネクタ２１をコネクタ挿入口１４を介して前記接続端子に接続することにより、磁気ヘッドからの電気信号がコネクタ２１を経由して回路基板２０の電気信号配線に入出力されるようになり、これにより磁気記録ディスク２へのデータの記録、再生が行われる。
【００２０】
さらに、回路基板２０には、図１および図３に示すようにモータ給電用圧接コネクタ２２が突設されている。このモータ給電用圧接コネクタ２２は、ねじ２３を回路基板２０の貫通孔２０Ａを介してねじ穴１６にねじ込むことにより、接続プレート１５の表面に所定の圧力をもって強く接触している。これによりモータ給電用圧接コネクタ２２は接続プレート１５と電気的に接続され、スピンドルモータ１３に給電が行われてスピンドルモータ１３が回転駆動される。
【００２１】
次に、基板固定体３０，４０について説明する。
【００２２】
基板固定体３０，４０は例えば筐体１０の四隅に位置する角隅部のうち２つの角隅部に互いに離間して配置されるものである。
【００２３】
基板固定体３０は、例えばウレタンゴム等の弾性を有する樹脂材料を用いて形成されている。そして、基板固定体３０は、図７に示すように、円柱部３０Ａと、円柱部３０Ａの長手方向一端側から当該長手方向と直交する方向に向けて突出した取付部３０Ｂとにより構成されている。なお、取付部３０Ｂの突出端側には２つの段差部３０Ｃ，３０Ｄが形成されている。
【００２４】
この基板固定体３０の取付部３０Ｂは、筐体本体１１の第１の側板部１１Ａと第３の側板部１１Ｃとの角隅側に形成された凹溝（図示せず）に弾性変形した状態で嵌め合わされている。これにより、基板固定部３０は取付部３０Ｂが前記凹溝に抜け止め状態で固定されている。なお、取付部３０Ｂは前記凹溝に接着等により固定し、凹溝に対する取付部３０Ｂの取付強度をさらに高めるようにしてもよい。そして、基板固定体３０は、筐体本体１１に形成されたコネクタ挿入口１４の近傍に配置されている。
【００２５】
ここで、基板固定体３０の円柱部３０Ａは、その長手方向他端側が筐体本体１１から回路基板２０に向けて突出し、その突出端側には略コ字状をなす凹溝からなる嵌合溝３０Ｅが形成されている。そして、この基板固定体３０の嵌合溝３０Ｅ内には、回路基板２０の外周端側である角隅部２０Ｂ側（図１、図３参照）が基板固定体３０の弾性復元力により抜け止め状態で嵌め合わされている。また、円柱部３０Ａの突出端側には斜めに傾斜した傾斜面からなるテーパ部３０Ｆが形成されている。このテーパ部３０Ｆは、回路基板２０を嵌合溝３０Ｅ内に嵌合するときに、角隅部２０Ｂをテーパ部３０Ｆに係合させつつ滑らせることにより、回路基板２０を嵌合溝３０Ｅ内に向けて図６中の矢示Ａ方向へと円滑に案内するものである。
【００２６】
また、基板固定体４０についても、図１ないし図３に示すように基板固定体３０とほぼ同様に構成され、嵌合溝４０Ａ、テーパ部４０Ｂおよび取付部（図示せず）等を有している。そして、基板固定体４０は、筐体本体１１の第２の側板部１１Ｂと第３の側板部１１Ｃとの角隅側に一体に取り付けられ、基板固定体３０と共にコネクタ挿入口１４の近傍に配置されている。そして、基板固定体４０の嵌合溝４０Ａ内には回路基板２０の外周端側である角隅部２０Ｃ側が基板固定体４０の弾性復元力により抜け止め状態で嵌め合わされている。
【００２７】
なお、図１および図２に示すように、筐体本体１１の第１の側板部１１Ａと第４の側板部１１Ｄとの角隅側には例えば弾性を有する樹脂材料からなる位置決め板５０が突設されている。そして、位置決め板５０は、回路基板２０の取付時に角隅部２０Ｄ側を位置決め板５０に係合させることにより、回路基板２０を筐体１０に対して位置決めするものである。
【００２８】
また、第２の側板部１１Ｂと第４の側板部１１Ｄとの角隅側には弾性を有する樹脂材料からなる位置決め片６０が突設され、その突出端側には切欠溝６０Ａが形成されている。そして、位置決め片６０は、回路基板２０の取付時に角隅部２０Ｅ側を切欠溝６０Ａに嵌め合わせることにより、回路基板２０を位置決め板５０と共に筐体１０に対して位置決めするものである。
【００２９】
次に、回路基板２０の取付方法について説明する。
【００３０】
まず、回路基板２０を、図６に示すように斜めに傾けた状態で角隅部２０Ｂ，２０Ｃ（図６には角隅部２０Ｂのみ図示）を基板固定体３０，４０のテーパ部３０Ｆ，４０Ｂに係合させる。次に、回路基板２０の角隅部２０Ｂ，２０Ｃをテーパ部３０Ｆ，４０Ｂに沿って斜め下向きに滑らせつつ、コネクタ２１をコネクタ挿入口１４に挿入させる。この結果、回路基板２０は、その角隅部２０Ｂ，２０Ｃが図６中の矢示Ａ方向へと嵌合溝３０Ｅ，４０Ａに向けて円滑に導かれ、これら各嵌合溝３０Ｅ，４０Ａ内に嵌め合わされる（図３参照）。
【００３１】
そして、この状態で回路基板２０を図３中に示す矢示Ｂ方向へと下向きに降すことにより、モータ給電用コネクタ２２を接続プレート１５に接触させると共に、コネクタ２１を筐体１０内の接続端子に接続させる。
【００３２】
このとき、回路基板２０は、角隅部２０Ｄが位置決め板５０に係合し、角隅部２０Ｅが位置決め片６０の切欠溝６０Ａに嵌め合わされる。これにより回路基板２０は筐体１０に対して位置決めされ、貫通孔２０Ａとねじ穴１６との芯合わせが自動的に行われる。そして、最後にねじ２３を用いて回路基板２０を筐体１０に固定する。
【００３３】
以上、詳述したように本実施の形態に係る磁気記録再生装置１は、回路基板２０の長手方向一端側に位置する角隅部２０Ｂ，２０Ｃ側を、筐体１０に突設した基板固定体３０，４０の嵌合溝３０Ｅ，４０Ａ内に嵌合させる構成としている。
【００３４】
このため、基板固定体３０，４０の嵌合溝３０Ｅ，４０Ａにより回路基板２０を両面側から強く挟み込むようにして保持することができ、基板固定体３０，４０に対する回路基板２０の結合力（取付強度）を高めることがきる。
【００３５】
従って、磁気記録再生装置１に外部からの振動、衝撃等が加えられた場合でも、回路基板２０が基板固定体３０，４０から外れるような不具合を解消でき、回路基板２０を基板固定体３０，４０に安定して固定でき、磁気記録再生装置１の性能、信頼性等を高めることができる。
【００３６】
そして、回路基板２０の長手方向一端側を基板固定体３０，４０を用いて固定したので、当該一端側に前記従来技術のようなねじ穴およびねじを設ける必要がなくなる。これにより、回路基板２０に対する電気信号配線の実装スペースを十分に確保することができ、磁気記録再生装置１の小型化を図ることができる。
【００３７】
なお、本実施の形態では、２つの基板固定体３０，４０と１つのねじ２３を用いて回路基板２０に固定する構成とした場合を例に挙げて説明した。しかし、本発明はこれに限らず、例えば図８に示す変形例のように前記ねじ２３を廃止して、筐体１０の四隅に位置する角隅部にそれぞれ基板固定体３０，４０，７０，８０を突設し、これら基板固定体３０，４０，７０，８０により回路基板２０を固定する構成としてもよい。また、筐体１０の四隅に位置する角隅部のうち３つの角隅部にそれぞれ基板固定体を突設してもよいし、１つの角隅部にのみ基板固定体を突設してもよい。
【図面の簡単な説明】
【００３８】
【図１】本発明の実施の形態に係る磁気記録再生装置を示す斜視図である。
【図２】図１中の回路基板を取り外した状態で磁気記録再生装置を示す斜視図である。
【図３】本発明の実施の形態に係る磁気記録再生装置の回路基板を基板固定体に取り付ける方法を示す説明図である。
【図４】本発明の実施の形態に係る磁気記録再生装置を示す側面図である。
【図５】図４中のａ部を拡大して示す拡大図である。
【図６】図５中の回路基板を基板固定体のテーパ部に係合させた状態を示す図５と同様の拡大図である。
【図７】本発明の実施の形態に係る磁気記録再生装置の基板固定体を単体で示す斜視図である。
【図８】本発明の変形例による磁気記録再生装置を示す斜視図である。
【符号の説明】
【００３９】
１  磁気記録再生装置、２  磁気記録ディスク（磁気記録媒体）、１０  筐体、１３  スピンドルモータ（ハードディスクアセンブリ）、１４  コネクタ挿入口、１６  ねじ穴、２０  回路基板、２１  コネクタ、２２  モータ給電用圧接コネクタ、２３  ねじ、３０，４０，７０，８０  基板固定体（回路基板固定部）、３０Ｅ，４０Ａ  嵌合溝、３０Ｆ，４０Ｂ  テーパ部。
【図１】
2007073125.tif 000003
【図２】
2007073125.tif 000004
【図３】
2007073125.tif 000005
【図４】
2007073125.tif 000006
【図５】
2007073125.tif 000007
【図６】
2007073125.tif 000008
【図７】
2007073125.tif 000009
【図８】
2007073125.tif 000010